(57)【要約】公開鍵・秘密鍵インフラストラクチャを利用した金融システムであって、当該システムでは、中央サーバーが、例えば公開鍵のような鍵のペアの内の一つを提供し、また、例えばスマートカードのような電子データ保持メンバーの複数の個人ユーザーへの、または当該個人ユーザーからの金銭的価値の転送の認証を有効としている。電子データ保持メンバーには、ユーザーの秘密鍵及び公開鍵及び、さもなくば、オペレーティングシステムさらに、他のオープンなプログラムが含まれている。当該メンバーはまた、サービスや日用品の提供に伴う支払に有効であるものとして記載される。【特許請求の範囲】
【請求項１】
金融システムであって、
公開鍵インフラストラクチャにおける公開鍵のような鍵のペアのうちの一つを提供し、ユーザーの秘密鍵及び公開鍵、さらには、オープンなオペレーティングシステム及び他のプログラムを含む個々の電子的データ保持メンバーの複数ユーザーのそれぞれへの及びそれぞれからの金銭的価値の転送を認証するための中央サーバーを備えることを特徴とする金融システム。
【請求項２】
金銭的実施可能性を提供するシステムであって、
公開鍵インフラストラクチャにおける公開鍵のような鍵のペアのうちの一つを提供し、転送情報の暗号化のためのユーザーの秘密鍵及び公開鍵、さらには、オープンなオペレーティングシステム及び他のプログラムを含む個々の電子的データ格納メンバーの複数のユーザーのそれぞれへの及びそれぞれからの金銭的価値の転送を認証するための中央サーバーを備えることを特徴とする金融システム。
【請求項３】
公開鍵インフラストラクチャセキュリティアレンジメントの公開鍵の鍵のペアのうちの一つを有する中央サーバーと、電子的データ格納メンバーのリーダーの少なくとも一つとを制御するエンティティと、少なくとも一つが、オープンアクセス可能なオペレーティングシステムを含みクレジット若しくはデビット値において保持された情報の安全性を有する複数の電子的データ格納メンバーを有するアレンジメントであって、
前記保持された情報の安全性は、公開鍵インフラストラクチャアレンジメントを介して秘密鍵を有することにより確立され、該アレンジメントは、前記中央サーバーとの通信を有効とするために随時採用され、前記中央サーバーでは、割り当てられたデビット及びクレジットについて、ユーザーがアクセス可能である限り、利用可能とするか、または、前記電子的データ格納メンバーへの、若しくは、前記電子的データ格納メンバーからの転送を有効とすることを特徴とするアレンジメント。
【請求項４】
リーダー及びグローバルキーを含む、少なくとも一つのサービス又は日用品の提供部と、電子的データ格納メンバーの前記リーダーへの挿入に伴い、提供される前記サービス又は日用品に応じて所定の値を前記メンバーから抽出するためのコンピュータプログラムとをさらに有することを特徴とする請求項３に記載のアレンジメント。
【請求項５】
少なくとも一つの電子的データ格納メンバーがスマートカードであることを特徴とする請求項３又は請求項４に記載のアレンジメント。
【請求項６】
公開鍵インフラストラクチャの公開鍵の鍵のペアのうちの一つを有する中央サーバーと、電子的データ格納メンバーのリーダーの少なくとも一つとを制御する政府と、少なくとも一つが、オープンアクセス可能なオペレーティングシステムを含みクレジット若しくはデビット値において保持された情報の安全性を有する複数の電子的データ格納メンバーを有するアレンジメントであって、
前記保持された情報の安全性は、公開鍵インフラストラクチャアレンジメントを介して確立され、前記システムは、前記中央サーバーとの通信を有効とするために随時利用され、前記中央サーバーでは、割り当てられたデビット及びクレジットについて、ユーザーがアクセス可能である限り、利用可能とするか、または、前記電子的データ格納メンバーへの、若しくは、前記電子的データ格納メンバーからの転送を有効とすることを特徴とするアレンジメント。
【請求項７】
特定のユーザーと関連する前記鍵のペアは、信頼度の高い個人により確立され承認された「認証」を有することを更に特徴とする請求項６に記載のアレンジメント。
【請求項８】
電子的にアクセス可能なデータ格納メンバーは、オープンなオペレーティングシステムを含むことを更に特徴とする請求項６又は請求項７に記載のアレンジメント。
【請求項９】
前記中央サーバーはボート上に位置することを更に特徴とする請求項６乃至請求項８のいずれかに記載のアレンジメント。
【請求項１０】
電子的データ格納メンバーがリーダーへ導入されると、随時通信を有効とし、カード自体においてデビットの形で課される小レベルの値を要求する付随的な装置によって記憶されたあらゆる取引が発生するように適応されていることを更に特徴とする請求項６乃至９のいずれかに記載のアレンジメント。
【請求項１１】
金融システムを機能させるための方法であって、公開鍵インフラストラクチャの鍵のペアの一つを有する中央サーバーと電子データ格納メンバーの少なくとも一つのリーダーとを制御する政府と、複数の電子データ格納メンバーであって、少なくとも一つがオープンアクセス可能なオペレーティングシステムを含み、クレジットまたはデビット値として保持される情報に関連する安全性を有し、前記保持された情報の安全性は、公開鍵インフラストラクチャのアレンジメントを介して確立され、前記システムは、前記電子データ格納メンバーが、前記中央サーバーとの通信を有効とするために随時利用されるように構成され、前記中央サーバーは、割り当てられたデビット及びクレジットについて、ユーザーがアクセス可能である限り、利用可能とするか、または、前記電子的データ格納メンバーへの、若しくは、前記電子的データ格納メンバーからの転送を有効とすることを特徴とする方法。
【発明の詳細な説明】
【０００１】
【発明の属する技術分野】
本発明は、賃金支払システム（ｐａｙｍｅｎｔ ｓｙｓｔｅｍ）に関する。
【０００２】
現在、“お金”と一般に呼ばれる権利を提供するのは政府（ｇｏｖｅｒｎｍｅｎｔｓ）であることが知られている。このお金は、様々な当事者間において価値の転送（ｔｒａｎｓｆｅｒ）を有効とするための単位として利用される。
【０００３】
【従来の技術】
政府は、お金や通貨といった後ろ盾を有する大抵安全で課税可能な真の価値を提供するものである一方、現在、お金の分配し、大規模なネットワークを介してお金の利用者のための受領（ｒｅｃｅｉｐｔ）、転送（ｔｒａｎｓｆｅｒ）、及び支払処理（ｐａｙｍｅｎｔ ａｒｒａｎｇｅｍｅｎｔ）を提供するためのライセンスが与えられた銀行のような機関を使用している。
【０００４】
大規模な分配及び他の適切なサービスを提供するためは、大きなインフラや、システムを利用して個人にチャージするための技術、さらには、ローンの為のお金の提供や他人のための安全な貯金及び利益の返還などを提供するなど多くの取引において商業的な方法における取引能力を要求するので、これは今のところ適切である。
【０００５】
換言すれば、通貨は政府によって提供されるが、当該通貨の管理を、物理的な意味で有効たらしめるのは他の機関である。
【０００６】
このこと自体がいくつかの障害の原因となっている。
【０００７】
例えば、政府による供給者への支払（ｐａｙｍｅｎｔｓ ｂｙ ａ ｇｏｖｅｒｎｍｅｎｔ ｔｏ ｉｔｓ ｓｕｐｐｌｉｅｒｓ）、若しくは、金銭の受領（ｒｅｃｅｉｐｔ ｏｆ ｍｏｎｉｅｓ）は、政府自体によって完全に所有されているかもしれない銀行であるか否かにかかわらず、一般にはやはり機関によって取り扱われるものである。
【０００８】
しかしながら、現状では、大規模ネットワークまたは、実際には銀行のような多くのネットワークを、大規模な監視（ｅｘｔｅｎｓｉｖｅ ｍｏｎｉｔｏｒｉｎｇ）、流通融資（ｄｉｓｔｒｉｂｕｔｉｏｎ ｌｅｎｄｉｎｇ）、通貨のハンドリングに関する請求（ｃｈａｒｇｉｎｇ ｒｅｌａｔｉｎｇ ｔｏ ｈａｎｄｌｉｎｇ ｏｆ ｃｕｒｒｅｎｃｉｅｓ）のために利用するという、この必要性がある。
【０００９】
信用貸し権（ａｃｃｅｓｓ ｔｏ ｃｒｅｄｉｔ）を与えるクレジットカードの利用は伝統的なものであるが、それ自体は、信用貸し権、若しくは、信用貸しの正当化（ｊｕｓｔｉｆｉｃａｔｉｏｎ ｏｆ ｃｒｅｄｉｔ）の認可以上の何らの支援（ａｓｓｉｓｔａｎｃｅ）をユーザーに与えるものではない。
【００１０】
最近は、ロジック及びより高度なセキュリティ制御を提供する電子的なコンポーネントを有するカードのようなデバイスがあるが、そのようなアレンジメントは今でも依然として独占システムを基礎としており、当該独占システムでは、商業的団体が信用貸し権（ａｃｃｅｓｓ ｔｏ ｃｒｅｄｉｔ）のような更なる設備を提供し、また、さもなくばサポートサービスの提供を希望するようなユーザー及び第三者に対してクローズドシステムとしてメンバー自体が提供されている。
【００１１】
ある程度は、これらのデバイスの独占的な性質が安全性を確保するための本質的なものであると、これまでは考えられてきた。
【００１２】
【発明の開示】
本出願における提案では、金融システムに関連するバンキング及び設備の提供を介した価値の生成と、当該システムのユーザーとの間の直接的なコネクションが存在する金融システムのためのアレンジメントを提案する。
【００１３】
一の形態において、これは、公開鍵インフラストラクチャアレンジメントにおける公開鍵と秘密鍵のような鍵のペアのうち一つを提供し、かつ、当該ユーザーの秘密鍵を含むか、さもなくば、オペレーティングシステム及び他のオープンなプログラムを含む個々のメンバーのユーザーによる利用を承認する、中央サーバを提供することにより達成される。
【００１４】
【本発明を実施するための好適な実施形態】
本願は、スマートカードと関連づけて考えることができる。電子的ロジックを内蔵するいかなるデバイスについても適用可能であることが理解されるべきである。
【００１５】
公開−秘密鍵インフラストラクチャ（ＰＫＩ）の利用は、公開鍵と秘密鍵を含む鍵のペアの利用を取り入れるものであり、かつ、非常に強固な認証（ａｕｔｈｅｎｔｉｃａｔｉｏｎ）及び暗号化サービスを提供するものである。特定のユーザーと関連づけられる鍵のペアは、信頼度の高い個人（ａ ｐｅｒｓｏｎ ｏｆ ｈｉｇｈ ｃｒｅｄｉｂｉｌｉｔｙ）によって確立され、承認される「認証（ｃｅｒｔｉｆｉｃａｔｅ）」を備え、安全性はこのようにして維持される。公開鍵暗号法において公開鍵及びそれに対応する秘密鍵は鍵のペアをなす。
【００１６】
秘密鍵は、以下の目的に利用されても良い。対応する公開鍵を計算する目的、対応する公開鍵によって照合される電子署名（ｄｉｇｉｔａｌ ｓｉｇｎａｔｕｒｅ）を生成する目的、対応する公開鍵によって暗号化されたメッセージを復号する目的、他の情報と共に共有秘密情報の断片（ａ ｐｉｅｃｅ ｏｆ ｃｏｍｍｏｎ ｓｈａｒｅｄ ｓｅｃｒｅｔ ｉｎｆｏｒｍａｔｉｏｎ）を計算する目的。
【００１７】
公開鍵暗号法は、以下の原理に基づいている。
関連する２つの鍵を生成することができる。
他人からいずれかの鍵を取得することは実質的に不可能である。
一方の鍵によって暗号化されたデータは、他方の鍵によって復号できる。
一方の鍵を秘密とし、他方を公開することができる。
【００１８】
公開鍵暗号法は、所定のタイプの数学的アルゴリズムに基づいている。それは、一方向における暗号／復号を可能とするものである。即ち、公開鍵アルゴリズムでは、メッセージを、ある非常に特別な性質を有する特別な鍵を使って暗号化することができる。
【００１９】
１．暗号化されたメッセージは、単一の秘密鍵によってのみ解読することができる。
【００２０】
２．公開鍵とエンコードされたメッセージを所有することにより、秘密鍵をやぶる可能性の範囲（ｒｅａｌｍ）を凌駕するであろう。
【００２１】
このように、復号用及び暗号化用の鍵を信頼する当事者へ分配して幸運を祈るよりも、その公開鍵において暗号化され送信されたメッセージを読めるのは自分のみであるとの完全なる自信を持って、公開鍵を希望する全ての者に対して公開鍵を提供することができる。
【００２２】
送信者は全て自己のメッセージを自分の公開鍵を利用して暗号化することができ、当該メッセージは、秘密鍵によってのみ解読することができるであろう。
【００２３】
ＲＳＡ、Ｄｉｆｆｅ−Ｈｅｌｍａｎ及びＥｌｌｙｐｔｉｃカーブ暗号法を含む公開鍵暗号法のための、いくつかの良好なアルゴリズムがある。
【００２４】
秘密鍵には、言及すべき別の機能がある。秘密鍵はまた、秘密鍵を使って暗号化されたテキストの一部について、秘密鍵の所有者によって暗号化されたかどうかを公開鍵を利用して検証できるという、付加的な利点を有する。これは電子署名と呼ばれ、秘密鍵の所有者のみが、そのようなメッセージを暗号化することができるので、メッセージ認証技術を提供することができる。同じような方法は、送信前のファイル状態を表すハッシュダイジェスト（ｈａｓｈ ｄｉｇｅｓｔ）が送信者によって生成される場合に、メッセージ保全性（ｍｅｓｓａｇｅ ｉｎｔｅｇｒｉｔｙ）の検証においても利用することができる。
【００２５】
これにより、内部の暗号化アルゴリズムや、そのようなロジックを有するメンバーの実際の内部プログラム機能に関する知識に対するアクセスを制限しなくても、安全性が維持される。
【００２６】
これは、各メンバー、例えばスマートカードにとって完全にオープンなシステムとなり得る可能性に結びつくものであり、独占的な利益の理由やオープンシステムにおける安全性の維持のために権利を有する銀行や他の団体のような二次的なインフラストラクチャの必要が無く、通貨を生成しサポートするための様々な既知のシステムを利用せずに、他人らによって一般には複製不可能な手法における現金の生成を行える可能性が第一に政府自体にもたらされることになる。
【００２７】
本システムを経済のサブグループ、若しくは、コミュニティーのメインストリームから一時的に若しくは長い期間分離されているコミュニティーのために利用可能な政府にとっては、重要な利益が存在する。
【００２８】
第一に、もしも、例えばボートに搭乗することを強制された（ｃｏｓｔｒａｉｎｅｄ ｏｎ ｂｏａｒｄ ａ ｂｏａｔ）コミュニティの各構成員が、中央サーバ及びユーザーがカードを適用可能なあらゆるリーダー（ｒｅａｄｅｒ）に対しての利用を可能とするアレンジメントを含むオンボードロジック（ｏｎ ｂｏａｒｄ ｌｏｇｉｃ）を有するスマートカードを提供されたとする。
【００２９】
例えばボート上の中央サーバは、例えば、各ユーザーに対して、日、週、月、年のうちの選択されたそれぞれの時間において、選択されたクレジットの提供を認証するようにプログラムされる。各ユーザーは、カードの使用により随時特定のユーザーの唯一の認証と関連するクレジットに簡単にアクセスすることができる。この場合、公開・秘密鍵暗号技術が利用される。ゆえに、それぞれが秘密鍵及び公開鍵の両方を有するように個々にプログラムされている複数のスマートカードがある。秘密鍵は、特定のユーザー専用である。
【００３０】
スマートカードであるメンバーが最初にロードされると、オープンシステム、この場合は、ウィンドウズ（登録商標）・パワード・スマート・カード（Ｗｉｎｄｏｗｓ Ｐｏｗｅｒｅｄ Ｓｍａｒｔ Ｃａｒｄ）がロードされる。そのようなカードはまた、オプションとしてＰＩＮアクセス制約（ＰＩＮ ａｃｃｅｓｓ ｃｏｎｓｔｒａｉｎｔ）を有する。もし、ＰＩＮが利用されると、認証されているユーザーか盗まれた場合であってもカードが誤って使用される機会が減少する。カードには、秘密鍵と公開鍵のペアが組み込まれている。中央サーバーは、信号の出所を識別するための手段と、必要に応じてユーザーがメッセージを解読するために適切な公開鍵を利用するための手段とを有するであろう。
【００３１】
公開・秘密鍵インフラストラクチャ（ＰＫＩ）の利用により、プログラムが関与する限りオープンシステムの利用が可能となり、現金価値を伝達するための代替的なシステムの提供、さらには、「価値取引」（“ｖａｌｕｅ ｔｒａｎｓａｃｔｉｏｎｓ”）の全ての特徴について政府の視点において直接的に監視することを可能とすることにおいて、競争を容認することにより、大きな利益がある。さらに、発行される「価値（ｖａｌｕｅ）」は、電子的形態においてのみ利用可能な価値であり、「現金（ｃａｓｈ）」の量を削減することが可能であろう。短期間でそのような現金に継ぎ足す（ｔｏｐ ｕｐ）ことは不可能かもしれない単位へ変動される現金の量（ｔｈｅ ａｍｏｕｎｔ ｏｆ ”ｃａｓｈ” ｔｈａｔ ｎｅｅｄｓ ｔｏ ｂｅ ｆｌｏａｔｅｄ ｔｏ ａ ｕｎｉｔ）を削減することが可能となるであろう。
【００３２】
これは、例えば、数ヶ月間続く飛行に通常は莫大な現金が必要とされる、航空機による飛行に関する場合と同様である。
【００３３】
本発明によれば、複数のスマートカードが提供される。それぞれのカードには、オープンなオペレーティングシステムがロードされており、乗り物内（ｏｎ ｂｏａｒｄ ｔｈｅ ｖｅｓｓｅｌ）の１以上のスマートカードリーダーと相互接続が可能となっている。各スマートカードリーダーは、各ユーザーに対し、例えば、衛星を利用してワシントンに位置する基地局のような、他のコンピュータとも通信可能なサーバーとの通信を可能とする。
【００３４】
通信自体は、ＰＫＩシステムシステムにより安全に実施され、ユーザー、例えば、海軍の従業者は、随時安全に、当該ユーザーにとって適切なアカウントにおいて利用可能ないかなる「値（ｖａｌｕｅ）」をもダウンロードすることができる。また、ユーザーは、現金「値（ｖａｌｕｅ）」をクレジットとしてアカウントへ返還したり、また、単に利用可能な「値（ｖａｌｕｅ）」をチェックすることもできる。
【００３５】
さらに、例えば、ユーザーが飲料のボトルをマシンから購入しようとする場合などにおいて、様々なサービスを船上において提供することができる。この「マシン」は、スマートカードリーダーを含むであろうし、グローバル鍵を有するであろう。さらに、スマートカードに有効な秘密鍵があるかどうかを確認することができるが、当該鍵の内容自体は読み出せないようになっているであろう。しかしながら、当該マシンは、スマートカードデータベースから、購入に係る値を「抽出（ｅｘｔｒａｃｔ）」し、随時中央サーバーと通信して「値」を照合することが可能となっている。
【００３６】
まず、政府自身に、取引の記録（ａ ｒｅｄｏｒｄ ｏｆ ｔｈｅ ｔｒａｎｓａｃｔｉｏｎ）、取引速度（ｔｈｅ ｖｅｌｏｃｉｔｙ ｏｆ ｔｒａｎｓａｃｔｉｏｎｓ）、その他の管理用の有用なデータといった資産（ｔｈｅ ａｓｓｅｔ）を生成させることにより、銀行や他のクレジット機関を介する間接的なものではなく、直接に経済を増強することができる。
【００３７】
政府は、一般的に通貨や金融システムに適用される共通のルールを適用することができ、さらに、個人的監視を実施し、税金若しくは他の通貨の転送（ｔｒａｎｓｆｅｒ）の制御に関する様々な決定を行うことができる。
【００３８】
公開鍵認証を提供するのが中央サーバーであるため、随時通信を有効にして、あらゆる取引を実行するためにメンバーがリーダーへ導き入れられなければならなくなる。これらの取引は、例えば、カード自体にデビットの形で課される小レベルの値を要求する二次的なデバイスにより発生しても良い。
【００３９】
今や、アクセスが開放された中央サーバーがあるので、政府は記載した多大な利益を享受することが可能となる。
【００４０】
システムをインテグラルシステム（ｉｎｔｅｇｒａｌ ｓｙｓｔｅｍ）として維持する、ＰＫＩの有効な認証（ａｕｔｈｅｎｔｉｃａｔｉｏｎ）と承認（ａｕｔｈｏｒｉｚａｔｉｏｎ）要求についての可能性を提供するのは、システムの開かれた性質（ｏｐｅｎ ｎａｔｕｒｅ）である。
【００４１】
従前の閉じられたシステム（ｃｌｏｓｅｄ ｓｙｓｔｅｍ）、若しくは、同一環境において動作する多数の異なる独占的なシステムを調整する必要があるシステムに関して、継続的な秘匿性を提供するためには、全体的な必要性に応じて銀行によって提供されるのと同一の大規模なインフラストラクチャが必要とされる。それゆえに、一般的な意味における金融システムを提供する能力を全に欠いている。また、お金の変動（ｆｌｏａｔ ｏｆ ｍｏｎｅｙ）は、他の機関（ｅｎｔｉｔｉｅｓ）に移転されないという事実は、例えば、金利負担（ｉｎｔｅｒｅｓｔ ｃｏｓｔ）について、当該お金のコストはそこにはないということを意味する。
【００４２】
ある形態における発明は、公開鍵インフラストラクチャの公開鍵の鍵のペアのうちの一つを有する中央サーバーを制御する政府と、関心領域（ａｎ ａｒｅａ ｏｆ ｉｎｔｅｒｅｓｔ）に分配されたメンバーの複数のリーダーと、オープンにアクセス可能なオペレーティングシステムを含みクレジット若しくはデビット値において保持された情報の安全性を有する複数のメンバーと、を有するアレンジメントであって、当該保持された情報の安全性は、公開鍵インフラストラクチャアレンジメントを介して確立され、当該システムは、中央サーバーとの通信を有効とするために随時採用され、中央サーバーでは、割り当てられたデビット及びクレジットについて、ユーザーがアクセス可能である限り、利用可能とするか、または、転送（ｔｒａｎｓｆｅｒ）のために有効化することを特徴とするアレンジメントである。
【００４３】
いくつかのリファレンスについて以下に更に説明する。
【００４４】
− 公開鍵インフラストラクチャ（ＰＫＩ）は通常、公開鍵暗号に基づく公開鍵認証（Ｐｕｂｌｉｃ Ｋｅｙ Ｃｅｒｔｉｆｉｃａｔｅｓ）（ＰＫＣｓ）を生成（ｃｒｅａｔｅ）し、管理（ｍａｎａｇｅ）し、格納（ｓｔｏｒｅ）し、分配（ｄｉｓｔｒｉｂｕｔｅ）し及び破棄（ｒｅｖｏｋｅ）するために必要とされるハードウェア、ソフトウェア、人々、ポリシー及び手続のセットのことをいう。
【００４５】
− 公開鍵認証（ＰＫＣ）は通常、エンド・エンティティ（ｅｎｄ−ｅｎｔｉｔｙ）の公開鍵及び、デジタル署名を発行する認証局（Ｃｅｒｔｉｆｉｃａｔｉｏｎ Ａｕｔｈｏｒｉｔｙ）（ＣＡ）の秘密鍵を利用してデジタル的に署名される、いくつかの他の情報を含むデータ構造をいう。
【００４６】
− 認証局（ＣＡ）は通常、公開鍵認証を生成し、割り当てを行うために、１以上のユーザーから信頼された権限のある機関である。
【００４７】
− 付随的に、ＣＡはユーザーの鍵を生成しても良い。
【００４８】
ＰＫＩは、５つのタイプの構成要素［ＭＩＳＰＣ］から構成される。
【００４９】
− ＰＫＣｓを発行し、破棄する認証局（ＣＡｓ）。
【００５０】
− 公開鍵と、認証ホルダーの同一性（ｃｅｒｔｉｆｉｃａｔｅ ｈｏｌｄｅｒ ｉｄｅｎｔｉｔｉｅｓ）及び他の属性との間の結びつきを保証する、組織登録機関（Ｏｒｇａｎｉｚａｔｉｏｎａｌ Ｒｅｇｉｓｔｒａｔｉｏｎ Ａｕｔｈｏｒｉｔｉｅｓ）（ＯＲＡｓ）。
【００５１】
− 発行済みの認証であり、電子文書に署名し、文書を暗号化することができるＰＫＣホルダー。
【００５２】
− 電子署名及び信頼性のあるＣＡの既知の公開鍵から認証パスを有効化するクライアント。
【００５３】
− ＰＫＣｓ及び認証取消リスト（Ｃｅｒｔｉｆｉｃａｔｅ Ｒｅｖｏｃａｔｉｏｎ Ｌｉｓｔｓ）（ＣＲＬｓ）を格納し、利用可能とする格納場所（ｒｅｐｏｓｉｔｏｒｉｅｓ）。
【国際公開パンフレット】
2004532535.tif 000002
2004532535.tif 000003
2004532535.tif 000004
2004532535.tif 000005
2004532535.tif 000006
2004532535.tif 000007
2004532535.tif 000008
2004532535.tif 000009
2004532535.tif 000010
2004532535.tif 000011
2004532535.tif 000012
2004532535.tif 000013
2004532535.tif 000014
【国際調査報告】
2004532535.tif 000015
2004532535.tif 000016
2004532535.tif 000017